(57)【要約】【課題】占い師が責任を持った鑑定を行う為にも、占い結果を記憶ではなく記録に残すことが重要であり、占い鑑定を受ける側が、未来の時点であっても鑑定結果が検証でき、口頭では伝わりにくい鑑定結果の詳細が分かる未来レポートを提供すること。【解決手段】本考案の未来レポートは、占い結果の内容をもとに、占い鑑定を受ける側を主人公にした独自の物語を作り、絵を用いて絵本等の各媒体に記録し、鑑定を受ける側に占い結果の詳細を分りやすく伝え、常に占い結果の検証が可能である事が特徴です。さらに、鑑定を受ける側が主人公の物語のため、占い結果に感情移入しやすく、主人公の長所を伸ばし短所を矯正するように物語を構成することで、鑑定を受ける側の未来が良い方向にいく可能性が高まります。【選択図】図１
0003126920.tif 000002
【実用新案登録請求の範囲】
【請求項１】
本考案は、占い鑑定を受ける側の人を主人公とし、占いによって導き出された未来の結果を物語に構成し、絵を用いて絵本やＤＶＤ等の各記録媒体を使って占い鑑定を受ける側に分りやすく伝え、占い鑑定結果を記録として保存することを特徴とする未来レポート。
【請求項２】
前記絵本には、占い鑑定を受ける側の人の写真が収納できる欄や、名前、生年月日、生まれた場所、生まれた時間、血液型、コメント等の記録が記載できる欄を設けることを特徴とする請求項１記載の未来レポート。
【考案の詳細な説明】
【技術分野】
【０００１】  本考案は、未来を予測する占いの鑑定結果をもとに、鑑定を受ける側に未来を分りやすく伝えるため、鑑定を受ける側を主人公にした独自の未来物語を作り、絵を使って各記録媒体に保存する事に関するものである。
【背景技術】
【０００２】  従来の占い鑑定では、記録に残す事より記憶に残す事に重点が置かれ、仕事運、恋愛運、結婚運など、単発で部分的箇所だけを文字により記録に残すことはあっても、鑑定を受ける側の未来の成長過程を、絵を使って物語として分りやすく伝える方法はありませんでした。
【考案の開示】
【考案が解決しようとする課題】
【０００３】  記憶は時間が経てば曖昧になり、占い師が責任を持った鑑定を行う為にも、占い結果を記録に残すことが重要な課題としてありました。鑑定を受ける側にとっては、記録に残らない記憶のみの占い鑑定では、未来の鑑定結果を占い師から告げられても、鑑定時点では結果を検証することが不可能で、未来の時点になってから曖昧な記憶だけを頼りに検証してきました。【０００４】  また、占い結果が口頭で単発的に伝えられることにより、鑑定を受ける側は部分的な解釈で終わり、詳細な自身の未来については分かりづらいことが多くありました。
【課題を解決するための手段】
【０００５】  本考案は上記課題を解決する手段として、請求項１に記載された考案は、絵を使って各媒体の記録に残すことで、鑑定を受ける側に占い結果を分りやすく伝え、占いで出た未来予測を記録媒体によって常に確認することができます。占い師も記録に残ることで真剣に鑑定をすることになります。さらに、物語の内容を、主人公の長所を伸ばし短所を矯正するように構成することで、鑑定を受ける側の未来が良い方向にいく可能性が高まり、鑑定結果を検証しながら人生の軌道修正に役立てる事が可能な未来レポートになります。【０００６】  また、請求項２に記載された考案は、鑑定を受ける側の写真やメモの欄を設けることで、よりオリジナル感が増し、世界で唯一となる自身の成長過程が記載された物語の保持者として価値が高まる未来レポートになります。
【考案の効果】
【０００７】  本考案の占い結果を物語として記録に残すことで、鑑定を受ける側には記憶の曖昧さが消えて常に占い結果を検証することができ、自身が主人公の物語によって楽しく占い結果の詳細を理解する事ができ、自身の幸せな未来をイメージすることができます。占い師も記録に残ることで、未来予測を外した場合は占い師の名誉に関わる問題のため占い師が緊張感と責任感を持って鑑定することで高品質な鑑定になります。【０００８】  また、鑑定を受ける側が違う占い師の鑑定を希望した場合でも、名前や生年月日、正確な生まれた時間、生まれた場所、血液型等が記載されていれば常に良質な占い鑑定を何処でも受けることができます。
【考案を実施するための最良の形態】
【０００９】  以下、図面を参照しつつ、本考案の好ましい一実施形態である絵本の一例を、図１に示します。
図１は、本考案の一実施例たる絵本を見開いた状態の斜視図であり、図１における表紙裏側Ａの写真欄１は占い鑑定を受ける側の人の写真表示部であります。さらに鑑定を受ける側の人の、名前、生年月日、生まれた時間、生まれた場所、血液型が記載できる欄が個人情報記載欄２であり、この記録によって他の占い師に占い鑑定を希望した場合でも、正確な個人情報が記載されている為に高品質な鑑定を受けることが可能となります。さらにコメント欄３を設けることで、将来の目標や将来の夢などの重要事項を記載することができます。【００１０】  また、絵本本文Ｂの挿絵４は文章に多少なりとも関係のある絵を使用し、文面５は占いの鑑定結果を物語に構成した文面であり、鑑定を受ける側の長所や短所、持って生まれた宿命や才能、家庭運、恋愛運、仕事運、総体運、金運、良い時期や困難な時期等の占い鑑定で出た結果の全てをもとに物語として構成された文章です。【００１１】「実施形態の効果」
この実施形態によれば、親が子供に読み聞かせる事が可能であり、子供の未来に親も感情移入がしやすく、子供の未来に希望を持って愛情深く育てることができます。また、夫婦間で読み語り合うことで夢や目標が共感でき、夫婦の未来に希望を持って愛を育むことができます。【００１２】「他の実施形態」
図１の実施形態では、占い鑑定を受ける側独自の物語に構成された占い結果を、絵本にて記録しましたが、記録媒体にはＤＶＤ等を用いてアニメーションを使って分りやすく伝えるものでも良い。
【図面の簡単な説明】
【００１３】
【図１】絵本を開いた状態の斜視図である。
【符号の説明】
【００１４】      Ａ  表紙裏側
１  写真欄
２  個人情報記載欄
３  コメント欄
Ｂ  絵本本文
４  挿絵
５  文面
【図１】
0003126920.tif 000003
【手続補正書】
【提出日】平成18年8月10日(2006.8.10)
【手続補正１】
【補正対象書類名】実用新案登録請求の範囲
【補正対象項目名】全文
【補正方法】変更
【補正の内容】
【実用新案登録請求の範囲】
【請求項１】
占い鑑定によって導き出された未来の予測結果を、占い鑑定を受ける側の人を主人公とした独自の物語に構成し、鑑定結果のストーリーイメージに合う挿絵と物語を互いに対応付けて記録し、絵本という構造を有して、表紙裏側には占い鑑定を受ける側の人の写真が収納できる欄や、名前、生年月日、生まれた場所、生まれた時間、血液型、コメント等の記録が記載できる欄を設けることを特徴とする未来レポート。
【手続補正２】
【補正対象書類名】明細書
【補正対象項目名】全文
【補正方法】変更
【補正の内容】
【考案の詳細な説明】
【技術分野】
【０００１】  本考案は、未来を予測する占いの鑑定結果をもとにして、鑑定を受ける側を主人公にした独自の未来物語を作り、絵本の形状を用いて、鑑定を受ける側に未来を分りやすく伝え、鑑定結果を保存する事に関するものである。
【背景技術】
【０００２】  従来の占い鑑定では、記録に残す事より記憶に残す事に重点が置かれ、仕事運、恋愛運、結婚運など、単発で部分的箇所だけを文字により記録に残すことはあっても、鑑定を受ける側の未来の成長過程を、絵本を使って物語として分りやすく伝える方法はありませんでした。
【考案の開示】
【考案が解決しようとする課題】
【０００３】  記憶は時間が経てば曖昧になり、占い師が責任を持った占い鑑定を行う為にも、占い結果を記録に残すことが重要な課題としてありました。鑑定を受ける側にとっては、記録に残らない記憶のみの占い鑑定では、未来の鑑定結果を占い師から告げられても、鑑定時点では結果を検証することが不可能で、未来の時点になってから曖昧な記憶だけを頼りに検証してきました。【０００４】  また、占い結果が口頭で単発的に伝えられることにより、鑑定を受ける側にとっては印象に残る言葉だけの部分的な解釈で終わり、詳細な自身の未来については結果的に分かりづらいことが多くありました。
【課題を解決するための手段】
【０００５】  本考案は上記課題を解決する手段として、絵本を用いて記録に残すことで、鑑定を受ける側に占い結果を分りやすく伝え、占いで出た未来予測を絵本によって常に確認することができます。占い師も記録に残ることで真剣に鑑定をすることになります。さらに、物語の内容を、主人公の長所を伸ばし短所を矯正するように構成したり、持って生まれた才能を伸ばすように構成する事で、鑑定を受ける側の未来が良い方向にいく可能性が高まり、鑑定結果を検証しながら人生の軌道修正に役立てる事が可能な未来レポートになります。【０００６】  また、鑑定を受ける側の写真やメモの欄を設けることで、よりオリジナル感が増し、世界で唯一となる自身の成長過程が記載された物語の保持者として価値が高まる未来レポートになります。
【考案の効果】
【０００７】  本考案の占い結果を物語として記録に残すことで、鑑定を受ける側には記憶の曖昧さが消えて常に占い結果を検証することができ、自身が主人公の物語によって楽しく占い結果の詳細を理解する事ができ、自身の幸せな未来をイメージすることができます。占い師も記録に残ることで、未来予測を外した場合は占い師の名誉に関わる問題のため占い師が緊張感と責任感を持って鑑定することで高品質な鑑定になります。【０００８】  また、鑑定を受ける側が違う占い師の鑑定を希望した場合でも、名前や生年月日、正確な生まれた時間、生まれた場所、血液型等が記載されていれば常に良質な占い鑑定を何処でも受けることができます。
【考案を実施するための最良の形態】
【０００９】  以下、図面を参照しつつ、本考案の好ましい一実施形態である絵本の一例を、図１に示します。
図１は、本考案の一実施例たる絵本を見開いた状態の斜視図であり、図１における表紙裏側Ａの写真欄１は占い鑑定を受ける側の人の写真表示部であります。さらに鑑定を受ける側の人の、名前、生年月日、生まれた時間、生まれた場所、血液型が記載できる欄が個人情報記載欄２であり、この記録によって他の占い師に占い鑑定を希望した場合でも、正確な個人情報が記載されている為に高品質な鑑定を受けることが可能となります。さらにコメント欄３を設けることで、将来の目標や将来の夢などの重要事項を記載することができます。【００１０】  また、絵本本文Ｂの挿絵４は文章に多少なりとも関係のある絵を使用し、文面５は占いの鑑定結果を物語に構成した文面であり、鑑定を受ける側の長所や短所、持って生まれた宿命や才能、家庭運、恋愛運、仕事運、総体運、金運、良い時期や困難な時期等の占い鑑定で出た結果の全てをもとに物語として構成された文章です。【００１１】図２は、２００２年４月３０日、午後８時５９分、大阪府吹田市の産婦人科病院にて誕生した「一郎」君を西洋占星術で鑑定した場合において、子供を主人公にした未来レポートの冒頭シーンを表したものです。このように、このページに限らず本文中の全ページに必要であれば、生年月日６、生まれた時間７、生まれた場所８、鑑定を受ける側の名称９を記載していきます。【００１２】図３は、「一郎」君を主人公とした未来レポートの本文中の１ページを抜粋したものです。占いの鑑定結果を物語に構成した文面５は、独自のストーリー「八本の幹」の物語の中で「一郎」君の持って生まれた才能に触れ、将来において才能を活かした職業に就くことを暗示しています。
【実施形態の効果】
【００１３】  この実施形態によれば、親が子供に読み聞かせる事が可能であり、子供の未来に親も感情移入がしやすく、子供の未来に希望を持って愛情深く育てることができます。また、夫婦間で読み語り合うことで夢や目標が共感でき、夫婦の未来に希望を持って愛を育むことができます。
【他の実施形態】
【００１４】  図１の実施形態では、占い鑑定を受ける側独自の物語に構成された占い結果を、絵本にて記録しましたが、記録媒体にはＤＶＤ等を用いてアニメーションを使って分りやすく伝えるものでも良い。
【図面の簡単な説明】
【００１５】
【図１】絵本を開いた状態の斜視図である。
【図２】未来レポートの冒頭を一例として示す図である。
【図３】未来レポートの本文中のある１ページを一例として示す図である。
【符号の説明】
【００１６】Ａ  表紙裏側
１  写真欄
２  個人情報記載欄
３  コメント欄
Ｂ  絵本本文
４  挿絵
５  文面
６  鑑定を受ける側の生年月日
７  鑑定を受ける側の生まれた時間
８  鑑定を受ける側の生まれた場所
９  鑑定を受ける側の名称
【手続補正３】
【補正対象書類名】図面
【補正対象項目名】図２
【補正方法】追加
【補正の内容】
【図２】
0003126920.tif 000004
【手続補正４】
【補正対象書類名】図面
【補正対象項目名】図３
【補正方法】追加
【補正の内容】
【図３】
0003126920.tif 000005